(57)【要約】【課題】架空ケーブルから完全に分離した状態で、架空ケーブルを吊り下げるための吊線を切断するに際して、切断された端部が跳ね上がらないようにした吊線切断用の把持具を提供する。【解決手段】この吊線切断用の把持具は、吊線１を配置する空間部１１及び吊線１を前記空間部１１内に出し入れするための開口部１２とを設けた一対のカバー部１０，１０と、該各カバー部１０の空間部１１内に配置され、前記開口部１２側で広い間隔、奥側で狭い間隔をもって対峙する一対の可撓性のクランパ２０，２０と、一対のクランパ２０，２０の奥側の間隔を変更させる開閉手段３０と、前記一対のカバー部１０を連結する連結部材４０とが備えられている。前記開閉手段３０は、一方に右ネジの雄ネジ３２ａを形成し、他方に左ネジの雄ネジ３２ｂと形成したスクリュー３２と、クランパ２０，２０に形成された右ねじの雌ネジ３１ａと左ねじの雌ネジ３１ｂとによって設けられている。【選択図】図１
2010200496.tif 000002
【特許請求の範囲】
【請求項１】
吊線を配置する空間部及び吊線を前記空間部内に出し入れするための開口部を設けた一対のカバー部と、
該各カバー部の空間部内に配置され、前記開口部側で広い間隔、奥側で狭い間隔をもって対峙する一対の可撓性のクランパと、
該一対のクランパの奥側の間隔を変更させる開閉手段と、
前記一対のカバー部を連結する連結部材とが備えられていることを特徴とする吊線切断用の把持具。
【請求項２】
前記開閉手段は、一方に右ネジの雄ネジを形成し、他方に左ネジの雄ネジを形成したスクリューと、前記右ネジの雄ネジに螺合するように前記一方のクランパに形成された雌ネジと、前記左ネジの雄ネジに螺合するように前記他方のクランパに形成された雌ネジとからなることを特徴とする請求項１に記載の吊線切断用の把持具。
【請求項３】
一対のクランパ間に位置している吊線が前記スクリューに衝突しないようにするためのストッパがスクリュー付近の両方のクランパもしくは一方のクランパ又はカバー部に設けられていることを特徴とする請求項２に記載の吊線切断用の把持具。
【請求項４】
前記一対のクランパの対向面には、吊線を係止する溝が形成されていることを特徴とする請求項１ないし３のいずれか一項に記載の吊線切断用の把持具。
【請求項５】
前記カバーの開口部には、奥側に傾倒する姿勢と開口部を塞ぐ状態の姿勢とに揺動するフラップが備えられていることを特徴とする請求項１ないし４のいずれか一項に記載の吊線切断用の把持具。
【請求項６】
前記クランパは、板状体を側面がノ字状に撓曲した形状に成形したものであり、一対のクランパが八字状に対峙していることを特徴とする請求項１ないし５のいずれか一項に記載の吊線切断用の把持具。
【発明の詳細な説明】
【技術分野】
【０００１】
本発明は、光ファイバケーブルその他の架空ケーブルを電柱間に架設するためのメッセンジャワイヤなどの吊線を切断するに際して、吊線を把持する吊線切断用の把持具に関する。
【背景技術】
【０００２】
光ファイバケーブルのような架空ケーブルは、電柱間に架設されたメッセンジャワイヤなどの吊線に一体又は別体で吊り下げられる。吊線は、例えば７本の素線を束ねた撚り線であり、端部が電柱に引き留められ、あるいは、図６に示すように中継途中が電柱に引き留められる。
【０００３】
図示した吊線１と架空ケーブル２とは、断面形状が８の字形に一体化されている。ただし、電柱３に引き留められる部分において、吊線１と架空ケーブル２とは分離している。この分離した部分の吊線１には一対の巻付グリップ４，４が反対向きに巻き付けられている。すなわち、巻付グリップ４は、Ｕ字状に二つ折りとされ、折り返された中間部において環状のシンブル５を半周し、先端側が電柱３から離れる方向に向けられている。
【０００４】
一方、電柱３には、アーム６を保持するバンド７が巻き付けられている。アーム６は、電柱３から突出し、先端に一対のストラップ８，８が取り付けられている。このストラップ８，８の先端に前記シンブル５，５が取り付けられることにより、吊線１が張力を掛けた状態に電柱３に引き留められる。また、架空ケーブル２は、テンションが掛けられない状態で電柱３に架設される。吊線１及び架空ケーブル２は、図示したように電柱３を境に、架設方向が変更される場合と、真っ直ぐに架設される場合とがある。
【０００５】
なお、光ファイバケーブルの心材となるスロットロッドを切断する場合に用いられる「光ファイバケーブルのスロットロッド切断用把持工具」が特許文献１に記載されている。この切断用把持工具は、光心線が螺旋状に巻き付いているスロットドットを切断するためのものであり、２つの把持部からなる把持手段と光心線を防護して支持する防護手段とが連結され、拡開許容手段が組み込まれていることを特徴としている。
【０００６】
前記把持部は、スロットロッドを着脱自在に把持する。また、防護手段は、スロットロッドの切断箇所から離れた箇所で光心線を防護して支持する。また、拡開許容手段は、２つの把持部の間でスロットロッドを切断した時に、スロットロッドの張力作用方向に把持部を拡開拡動可能とするものである。
【０００７】
この切断用把持工具によれば、防護手段がスロットロッドの切断箇所から離され、２つの把持部がスロットロッドを確実に支持したうえで、両把持部の間にあるスロットロッドの切断部分を切断する。したがって、この切断用把持工具は、スロットロッドを切断した直後に、スロットロッドに跳ね返ろうとする力が発生しても、この力が把持部の拡開拡動により吸収され、光心線が損傷しないようにされている。
【先行技術文献】
【特許文献】
【０００８】
【特許文献１】特開２００３−１７７２５２号公報
【発明の概要】
【発明が解決しようとする課題】
【０００９】
図６に示した吊線１は、シンブル５とシンブル５との間にも架け渡されている。しかし、例えば、シンブル５とシンブル５との間に高低差があったり、吊線１の架設方向が変更されたりすることによって、吊線１の長さが不足することから、さらに、シンブル５とシンブル５との間に架け渡された吊線１に作業者の足や工具などが引っ掛からないようにするため、シンブル５とシンブル５との間の部分の吊線１がボルトクリッパーのような所定の工具によって切断され、巻付グリップ４に巻回される。また、図示しない吊線１の端部を電柱３に引き留める場合も、吊線１の端部は切断された上で巻付グリップ４に巻回される。
【００１０】
ただし、吊線１は撚り線であることから、吊線１を切断する前に、切断箇所にビニルテープが巻かれ、撚りがほどけないようにされている。しかし、吊線１は、ドラムなどに巻回された状態で保管されていることから、巻き癖が付いており、所定の工具を使用して切断されると、切断端部が跳ね上がり、作業者に怪我を負わせたり、吊線１付近に架設されている電話線、工作物、あるいは機器類などに接触し、損傷させたりすることがある。
【００１１】
一方、特許文献１に記載された切断用工具は、光心線が螺旋状に巻き付いているスロットドットを切断するためのものであり、スロットドットを切断した際に生じる跳ね返り作用力が光心線に及ばないように拡開許容手段が備えられている。したがって、架空ケーブル２から完全に分離した吊線１を切断するために、特許文献１に記載された切断用工具を使用しても、拡開許容手段や防護手段が無駄なものとなる。換言すれば、特許文献１に記載された切断用工具は、架空ケーブル２から完全に分離した吊線１を切断するものとして適していない。
【００１２】
そこで、本発明は、架空ケーブルから完全に分離した状態で、架空ケーブルを吊り下げるための吊線を切断するに際して、切断された端部が跳ね上がらないようにした吊線切断用の把持具を提供することを課題とする。
【課題を解決するための手段】
【００１３】
本発明に係る吊線切断用の把持具は、吊線を配置する空間部及び吊線を前記空間部内に出し入れするための開口部を設けた一対のカバー部と、該各カバー部の空間部内に配置され、前記開口部側で広い間隔、奥側で狭い間隔をもって対峙する一対の可撓性のクランパと、該一対のクランパの奥側の間隔を変更させる開閉手段と、前記一対のカバー部を連結する連結部材とが備えられていることを特徴としている。
【００１４】
この吊線切断用の把持具によれば、開閉手段によって一対のクランパの奥側の間隔が離間した状態とし、この一対のクランパの奥側に吊線を配置した後、開閉手段によって一対のクランパの奥側の間隔を狭くすることにより、吊線が一対のクランパに把持された状態とすることができる。
【００１５】
一対のクランパはカバー部の空間部内に配置され、カバー部は一対備えられていることから、吊線は２か所でクランパに把持された状態となる。そして、吊線は、各クランパに把持された間で切断されるが、切断端部付近がクランパに保持されていることから、切断端部は跳ね上がることがない。
【００１６】
また、前記本発明に係る吊線切断用の把持具において、前記開閉手段は、一方に右ネジの雄ネジを形成し、他方に左ネジの雄ネジを形成したスクリューと、前記右ネジの雄ネジに螺合するように前記一方のクランパに形成された雌ネジと、前記左ネジの雄ネジに螺合するように前記他方のクランパに形成された雌ネジとからなることが好ましい。
【００１７】
この吊線切断用の把持具によれば、スクリューに形成された右ネジの雄ネジと左ネジの雄ネジとが各クランパに形成された雌ネジに螺合することにより、スクリューを一方に回すことによって一対のクランパの奥側の間隔を狭くし、スクリューを他方に回すことによって一対のクランパの奥側の間隔を広くすることができる。
【００１８】
また、前記本発明に係る吊線切断用の把持具において、一対のクランパ間に位置している吊線が前記スクリューに衝突しないようにするためのストッパがスクリュー付近の両方のクランパもしくは一方のクランパ又はカバー部に設けられていることが好ましい。
【００１９】
この吊線切断用の把持具によれば、ストッパによって吊線がスクリューに衝突しないようにすることができるため、スクリューに形成された右ネジの雄ネジと左ネジの雄ネジとは、吊線が衝突して損傷することがない。
【００２０】
また、前記本発明に係る吊線切断用の把持具において、前記一対のクランパの対向面には、吊線を係止する溝が形成されていることが好ましい。
【００２１】
この吊線切断用の把持具によれば、吊線が一対のクランパの対向面に形成された溝に係止されることにより、吊線は位置ずれすることなく把持される。
【００２２】
また、前記本発明に係る吊線切断用の把持具において、前記カバーの開口部には、奥側に傾倒する姿勢と開口部を塞ぐ状態の姿勢とに揺動するフラップが備えられていることが好ましい。
【００２３】
この吊線切断用の把持具によれば、吊線をカバー部の開口部から一対のクランパ間に位置させるときは、フラップが傾倒し、吊線が一対のクランパ間に位置したときは、フラップが開口部を塞ぐ状態となるため、吊線が切断された後、切断端部が開口部側に彎曲した形状に変形しても、フラップによって開口部から飛び出すことがない。なお、フラップが開口部を塞ぐ状態とは、フラップが開口部を完全に塞ぐ状態とほぼ塞ぐ状態との両方を含む。
【００２４】
また、前記本発明に係る吊線切断用の把持具において、前記クランパは、板状体を側面がノ字状に撓曲した形状に成形したものであり、一対のクランパが八字状に対峙していることが好ましい。
【００２５】
この吊線切断用の把持具によれば、クランパの側面がノ字状に撓曲した形状の板状体からなり、一対のクランパが八字状に対峙していることにより、クランパが吊線を把持する状態と把持しない状態とに変形しやすいものとされ、さらに、吊線を把持する部分のクランパが平行に対峙することにより、吊線は両側面から強い力でクランパに把持される。
【発明の効果】
【００２６】
本発明によれば、吊線を把持する一対のクランパを備えた吊線切断用の把持具が提供されることにより、吊線を切断したときの切断端部が跳ね上がらず、作業者が怪我を負ったり、電話線や機器類などを損傷させたりしないようにすることができる。また、本願発明に係る吊線切断用の把持具は、構造が簡単であるため、大量生産することができ、したがって安価に提供することができる。
【図面の簡単な説明】
【００２７】
【図１】本発明に係る吊線切断用の把持具の一実施形態を示す斜視図である。
【図２】本発明に係る吊線切断用の把持具の一実施形態であって、吊線を把持していない状態を示す要部拡大側面図である。
【図３】本発明に係る吊線切断用の把持具の一実施形態であって、吊線を把持している状態を示す要部拡大側面図である。
【図４】本発明に係る吊線切断用の把持具の実施形態であって、ストッパの変形例を示す要部拡大側面図である。
【図５】本発明に係る吊線切断用の把持具の実施形態であって、カバー部の変形例を示す斜視図である。
【図６】吊線を電柱に架設した状態を示す概略斜視図である。
【発明を実施するための形態】
【００２８】
本発明に係る吊線切断用の把持具の一実施形態について図１ないし図５を参照しながら説明する。この吊線切断用の把持具は、吊線１を配置する一対の可撓性のカバー部１０，１０と、各カバー部１０内に配置される一対のクランパ２０，２０と、この一対のクランパ２０，２０の間隔を変更させる開閉手段３０と、前記一対のカバー部１０，１０を連結する連結部材４０とを備えている。
【００２９】
カバー部１０は、側面形状が図示したような下向きコ字形に、又は図示しない下向きＵ字形などに形成され、内側が吊線１を配置する空間部１１とされ、下側に吊線１を出し入れするための開口部１２が設けられている。
【００３０】
このカバー部１０の開口部１２側の一端部と連結部材４０の先端部とが一体化されている。連結部材４０は、馬蹄形ないしＵ字形に形成され、両先端部にカバー部１０が設けられることにより、一対のカバー部１０，１０が一定の間隔をもって配置される。また、連結部材４０の下端部には、作業者が握るためのグリップ４１が設けられている。
【００３１】
そして、クランパ２０は、板状体を側面がノ字状に撓曲した形状に成形したものであり、一対のクランパ２０，２０が八字状に対峙することにより、カバー部１０の開口部１２側で広い間隔、奥側で狭い間隔となるようにカバー部１０の空間部１１内に配置されている。クランパ２０の下端部は、カバー部１０の開口部１２の内面に固定される。
【００３２】
そのため、クランパ２０の下端部には、例えば図２ないし図４に示すように、カバー部１０の内面に当接する鍔状部２０ａが設けられ、この鍔状部２０ａとカバー部１０とに貫通孔が形成され、両貫通孔にボルト２１が挿通され、ナット２２が締結されることによってクランパ２０がカバー部１０に固定されている。ただし、クランパ２０とカバー部１０とは、溶接などで固定してもよく、固定方法を限定するものでない。
【００３３】
そして、一方のクランパ２０の上部には、右ネジの雌ネジ３１ａが形成され、他方のクランパ２０の上部には、左ネジの雌ネジ３１ｂが形成されている。この両雌ネジ３１ａ，３１ｂに螺合する雄ネジ３２a，３２ｂを形成したスクリュー３２がカバー部１０の上部に架け渡されている。したがって、スクリュー３２の一方に前記一方のクランパ２０の右ネジの雌ネジ３１ａと螺合する右ネジの雄ネジ３２ａが形成され、他方に前記クランパ２０の左ネジの雌ネジ３１ｂと螺合する左ネジの雄ネジ３２ｂが形成されている。このクランパ２０の雌ネジ３１ａ，３１ｂとスクリュー３２の雄ネジ３２ａ，３２ｂとによって一対のクランパ２０，２０の開閉手段３０が設けられている。
【００３４】
そして、スクリュー３２の一端部は、図示したようにカバー部１０内に埋め込まれ、又は図示しないがカバー部１０から突出し、スクリュー３２の他端部はカバー部１０から突出し摘み３３が取り付けられている。この摘み３３を回すことにより、右ネジの雄ネジ３２ａと左ネジの雄ネジ３２ｂとが反対方向に回転し、カバー部１０の奥側に配置されている一対のクランパ２０，２０の上部側の間隔が近接し、あるいは離間する、すなわち間隔を変更することができるようにされている。
【００３５】
そして、一対のクランパ２０，２０の対向面で、間隔が狭くなっている奥側寄りの部分には、吊線１を係止する溝２３が形成されている。
【００３６】
また、この溝２３と前記雌ネジ３１ａ，３１ｂとの間のクランパ２０，２０の対向面には、図２及び図３に示すように、吊線１がスクリュー３２に衝突しないようにするためのストッパ１３，１３が設けられている。このストッパ１３，１３は、図示したように、一対のクランパ２０，２０の対向面に内向きに突設され、一対のクランパ２０，２０が離間している状態において、ストッパ１３，１３の先端の間隔が吊線１の直径よりも狭くなるようにされている。したがって、ストッパ１３，１３の間隔が近接した状態において、両ストッパ１３，１３の先端が衝突しないように、各ストッパ１３，１３を突設する位置が上下方向にわずかにずらされている。
【００３７】
ただし、ストッパ１３は、一対のクランパ２０，２０が離間している状態において、吊線１がスクリュー３２の方へ移動せず、かつ、一対のクランパ２０，２０が近接することができるように、一方のクランパ２０にのみ突設してもよい。
【００３８】
また、ストッパ１３は、図４に示すように、一対のクランパ２０，２０が配置されていない部位（図４において、紙面の表面側及び／又は裏面側）において、カバー部１０に架け渡されるバー状のものとしてもよい。そして、カバー部１０にバー状のストッパ１３を挿通する縦方向の長穴を（図示せず）形成し、この長穴内にストッパ１３を下方向に付勢するバネなどの付勢部材（図示せず）をセットすることにより、外径の異なる種々の吊線１もストッパ１３に当接し、吊線１がクランパ２０に形成された溝２３内に係止されるように位置決めするようにしてもよい。
【００３９】
そして、カバー部１０の開口部１２には、奥側に傾倒する姿勢と開口部１２を塞ぐ状態の姿勢とに揺動するフラップ１４が備えられている。開口部１２を塞ぐ状態の姿勢とは、フラップ１４が開口部１２を完全に塞ぐ状態と、図示したようなほぼ塞ぐ状態との両方を含む。
【００４０】
この吊線１切断用の把持具は、以上のように構成され、次に、使用方法について説明する。まず、スクリュー３２を回すことにより、図２に示すように、一対のクランパ２０，２０の奥側を離間させ、その間隔を広くしておく。また、吊線１の切断予定部位にビニルテープ（図示せず）を巻いておき、吊線１の撚りがほどけないようにしておく。
【００４１】
そして、作業者がグリップ４１を掴み、安定した状態で、両カバー部１０，１０を吊線１に沿わせる。次に、吊線１をカバー部１０の開口部１２から一対のクランパ２０，２０の間に入れ込む。このとき、フラップ１４が図２の仮想線に示すように、奥側に傾倒することにより、吊線１を一対のクランパ２０，２０の間に入れ込むことができる。また、吊線１が入りすぎても、ストッパ１３，１３によって吊線１がスクリュー３２に衝突することがなく、スクリュー３２に形成された雄ネジ３２ａ，３２ｂが損傷しないようにされている。
【００４２】
そして、吊線１が所定の位置まで入れられると、スクリュー３２を回すことにより、カバー部１０の空間部１１奥側の一対のクランパ２０，２０を近接させ、その間隔を狭くすることにより、図３に示すように、吊線１がクランパ２０の溝２３内に係止され、クランパ２０が吊線１を把持する状態とする。
【００４３】
一対のクランパ２０，２０が八字状に対峙していることにより、クランパ２０が吊線１を把持する状態と把持しない状態とに変形しやすいものとされ、さらに、クランパ２０が板状体を成形したものであって幅があること、及び吊線１を把持する部分のクランパ２０が平行に対峙することにより、吊線１は両側面から強い力でクランパ２０に把持される。
【００４４】
一対のクランパ２０，２０が吊線１を把持した後、一対のカバー部１０，１０間で、吊線１を切断する。連結部材４０が馬蹄形ないしＵ字形に形成されていることから、所定の工具を一対のカバー部１０，１０間にセットし、吊線１を容易に切断することができる。そして、切断された吊線１の切断端部は、クランパ２０によって把持されているため、跳ね上がることがない。また、切断端部が開口部１２側に彎曲した形状に変形しても、フラップ１４によって開口部１２から飛び出すことがない。
【００４５】
そして、スクリュー３２を前記と反対方向に回すことにより、一対のクランパ２０，２０の間隔を広げ、切断された吊線１が一対のクランパ２０，２０に把持されない状態とする。フラップ１４が開口部１２を塞いだ状態としていても、吊線１は切断されることにより、カバー部１０の空間部１１から抜くことができる。そして、切断された吊線１の切断端部は、巻付グリップに巻き付けられ、電柱に引き留められる。
【００４６】
なお、本発明は、前記の実施の形態に限定することなく、種々変更することができる。例えば、一対のカバー部１０，１０は、図５に示すように、一方の開口部１２を下向きに、他方の開口部１２を上向きにすることにより、吊線１が下向きに彎曲した形状に跳ね上がろうとしたときに、カバー部１０によって衝止するようにすることができる。
【００４７】
また、クランパ２０に形成される溝２３は、１本ではなく、鋸歯形状に多数本形成してもよいし、逆に、クランパ２０を摩擦係数の大きなもので成形することにより、溝２３を形成していないものとしてもよい。
【００４８】
また、開閉手段３０は、スクリュー３２に形成した雄ネジ３２ａ，３２ｂと一対のクランパ２０，２０に形成した雌ネジ３１ａ，３１ｂによって構成するのでなく、一対のクランパ２０，２０の間隔が狭くなるように付勢するバネなどの弾性部材と、一対のクランパ２０，２０の間隔を広げるレバーなどによって構成してもよい。また、開口部１２を狭窄する突出部がカバー部１０に設けられることにより、フラップ１４を備えないようにすることができる。
【００４９】
さらに、前記の背景技術では、吊線が光ファイバケーブルを吊り下げる場合について説明したが、本願発明に係る吊線切断用把持具は、各種のケーブルなどを吊り下げる吊線を切断するために使用することができる。
【符号の説明】
【００５０】
１………吊線
１０……カバー部
１１……空間部
１２……開口部
１３……ストッパ
１４……フラップ
２０……クランパ
２３……溝
３０……開閉手段
３１ａ…雌ネジ
３１ｂ…雌ネジ
３２……スクリュー
３２ａ…雄ネジ
３２ｂ…雄ネジ
４０……連結部材
【図１】
2010200496.tif 000003
【図２】
2010200496.tif 000004
【図３】
2010200496.tif 000005
【図４】
2010200496.tif 000006
【図５】
2010200496.tif 000007
【図６】
2010200496.tif 000008